(57)【要約】【課題】２つの対物レンズを設けた光ピックアップ装置において、対物レンズアクチュエータをフォーカス方向やトラッキング方向に駆動した場合でもヨーイングが発生せず、さらに２次共振モードの制御を容易にすることで光ディスクに対する情報の記録や再生を安定化することを目的とする。【解決手段】４つの単極着磁のマグネット４１~４４によって発生する２つの直線状の磁場のなかに、対物レンズアクチュエータの中央に集中して配置したトラッキングコイル５１、５２とフォーカスコイル６１〜６４の一部が同時に配置されるように構成する。【選択図】図４
2010152969.tif 000002
【特許請求の範囲】
【請求項１】
第１の光源から出射される短波長レーザを集光する第１の対物レンズと、
第２の光源から出射される長波長レーザを集光する第２の対物レンズと、
前記第１の対物レンズと前記第２の対物レンズを保持するレンズ保持部と、
前記レンズ保持部を光ディスクのトラッキング方向に駆動させる１対のトラッキングコイルと、
前記レンズ保持部を光ディスクのフォーカス方向及び／またはラジアルチルト方向に駆動させる２対のフォーカスコイルと、
前記１対のトラッキングコイルと前記２対のフォーカスコイルのそれぞれに磁界を与える２対のマグネットとを有し、
前記１対のトラッキングコイルは、前記レンズ保持部のトラッキング方向とフォーカス方向とに対して垂直であるタンジェンシャル方向の重心を通る直線上の前記レンズ保持部を挟んだ両側に配置され、
前記２対のフォーカスコイルは、前記２対のフォーカスコイルのうち第１の対のフォーカスコイルで前記１対のトラッキングコイルのうち第１のトラッキングコイルを、第２の対のフォーカスコイルで第２のトラッキングコイルを挟み込むように前記レンズ保持部の重心を中心に対称に配置され、
前記２対のマグネットは、異磁極の面を対抗させて対のマグネット間に直線状の磁場が発生するように配置され、
前記直線状の磁場の領域には前記１対のトラッキングコイルのそれぞれの一部と前記２対のフォーカスコイルのそれぞれの一部が位置するように構成したことを特徴とする光ピックアップ装置。
【請求項２】
前記１対のトラッキングコイルを、前記１対のトラッキングコイルの巻回用の仮想中心軸がタンジェンシャル方向と略平行になるように配置したことを特徴とする請求項１に記載の光ピックアップ装置。
【請求項３】
前記２対のフォーカスコイルを、前記２対のフォーカスコイルの巻回用の仮想中心軸がフォーカス方向と略平行になるように配置したことを特徴とする請求項１に記載の光ピックアップ装置。
【請求項４】
前記２対のマグネットを前記２対のフォーカスコイルの中空部の中にそれぞれ１つずつ配置したことを特徴とする請求項３に記載の光ピックアップ装置。
【請求項５】
請求項１に記載の光ピックアップ装置と、光ディスクを回転させる回転駆動手段と、前記回転駆動手段に対して前記光ピックアップ装置を近づけたり遠ざけたりする移動手段とを備えたことを特徴とする光ディスク装置。
【発明の詳細な説明】
【技術分野】
【０００１】
本発明は、光ディスクに情報の記録または再生の少なくとも一方を行う光ピックアップ装置およびそれを用いた光ディスク装置に関するものである。
【背景技術】
【０００２】
光ディスクに対して記録再生を行う光ディスク装置に搭載された光ピックアップ装置は、対物レンズアクチュエータをトラッキング方向（光ディスクの径方向）やフォーカス方向（光ディスク面に垂直な方向）に動作させることにより、光ディスクに照射する光スポットの位置を制御している。
【０００３】
従来、赤外レーザや赤色レーザでＣＤやＤＶＤのみに情報の記録か再生の少なくとも一方を行う光ディスク装置の場合、光ピックアップ装置には長波長レーザ用の対物レンズが１つだけ設けられていた（例えば特許文献１参照）。
【０００４】
しかしながら、近年光ディスク装置においては、赤外レーザや赤色レーザなどの長波長レーザでＣＤやＤＶＤに情報の記録か再生の少なくとも一方を行うのみならず、ブルーレーザなどの短波長レーザを搭載し、短波長レーザ対応の光ディスクにも情報の記録か再生の少なくとも一方を行うことが求められている。それに伴い、同じ光ピックアップ装置を長波長レーザ用の光ディスクと短波長のブルーレーザ対応の光ディスクに共用させるようになっている。そのため１つの対物レンズアクチュエータには長波長レーザ用の対物レンズだけでなく、短波長用レーザ用の対物レンズも搭載されるようになっている(例えば特許文献２参照)。
【特許文献１】特開２００３−２６３７６５号公報
【特許文献２】特開２００７−１０２９１２号公報
【発明の開示】
【発明が解決しようとする課題】
【０００５】
特許文献１に示されるような対物レンズを１つだけ設けている対物レンズアクチュエータでは、トラッキングコイルを光ピックアップ装置の四隅に１つずつ配置している。したがって、それぞれのトラッキングコイルはトラッキング方向とフォーカス方向に対して垂直であるタンジェンシャル方向において比較的離れている。
【０００６】
このような構造をした対物レンズアクチュエータでは、トラッキング方向に駆動したとき、対物レンズアクチュエータの中心を軸として水平面上で回転してしまうことがあった（以下、この回転のことをヨーイングという）。
【０００７】
すなわち、対物レンズアクチュエータに設けられるマグネットとトラッキングコイルにおいては、ギャップのばらつきやマグネットの磁束密度のバラツキによってトラッキングコイルに発生する電磁力にバラツキが生じることがある。トラッキングコイルに発生する電磁力にバラツキが生じると、四隅に備えられたトラッキングコイルと磁石からなる複数の電磁駆動手段で発生する複数の電磁力のバランスが崩れる。このとき、例えばトラッキング方向に隣り合う２つのトラッキングコイルで発生する電磁力の和をＡとし、他方の２つのトラッキングコイルで発生する電磁力の和をＢとすると、ＡがＢよりも一定以上大きくなった状態で対物レンズアクチュエータをトラッキング方向に駆動したときＡ−Ｂの力によってヨーイングが起こる。さらに、Ａの力を発生する２つのトラッキングコイルとＢの力を発生する２つのトラッキングコイルとがタンジェンシャル方向に対して離れているため、対物レンズアクチュエータの重心とトラッキングコイルとの距離も大きくなることから回転の際のモーメントが大きくなるので、より回転しやすくなる。
【０００８】
このヨーイングにおいては、特許文献１に示される光ピックアップ装置には長波長レーザ用の対物レンズが１つしか設けられていないためあまり問題にはならなかった。なぜならば、対物レンズは光ピックアップ装置の中心に配置されており、ヨーイングが起こったとしても対物レンズの中心を軸として回転するため対物レンズの位置がずれることはなく、トラッキング制御にあまり影響はなかったからである。
【０００９】
しかしながら、２つの対物レンズを搭載した対物レンズアクチュエータにおいては、中心が２つの対物レンズの間となる。このとき従来の対物レンズアクチュエータと同様に２つの対物レンズの間を軸にヨーイングが起こると、２つの対物レンズの中心はトラッキング方向に対してずれてしまう。したがって、２つの対物レンズを搭載した対物レンズアクチュエータではトラッキング制御の精度に悪影響を及ぼすようになった。
【００１０】
また、特許文献１に示されるこの光ピックアップ装置では、対物レンズアクチュエータの中央から最も離れている四隅に重量物であるトラッキングコイルを配置している。
【００１１】
このような構造をした対物レンズアクチュエータでは、対物レンズを上下に揺らすように  レンズホルダには２次共振と呼ばれる高周波の共振が発生する。
【００１２】
図１２は従来の光ピックアップ装置においてレンズホルダにおけるこの２次共振モードの様子を示す図である。振動Ａの成分は光ディスクの記録面に対してほぼ直角な方向である。レンズホルダ２０２が共振すると、振動Ａの方向は対物レンズが光ディスクの記録面に対して直角な方向に激しく振動する方向であるため、対物レンズの光ディスクに対するフォーカス方向の位置が不安定になる。そのため光ディスクに対する情報の記録や再生が不安定になる。
【００１３】
この２次共振モードにおいても、対物レンズを１つだけ設けている光ピックアップ装置では問題にならなかった。なぜならば、この対物レンズアクチュエータには対物レンズが１つしか設けられていなかったため、レンズホルダは比較的小さなものであったからである。レンズホルダが小さいと２次共振モードが起こる共振周波数が比較的高く、共振周波数が比較的高い場合では２次共振モードの発生を制御することは難しいことではない。
【００１４】
しかしながら、２つの対物レンズを搭載した対物レンズアクチュエータでは１つの対物レンズのみを搭載した対物レンズアクチュエータよりもレンズホルダが大きくなり、２次共振モードが起こる共振周波数が低くなる。したがって、２つの対物レンズを搭載した対物レンズアクチュエータでは２次共振モードの発生を制御することが難しくなった。
【００１５】
そこで本発明は上記課題に鑑みてなされたものであり、２つの対物レンズを設けて長波長レーザ用の光ディスクと短波長のブルーレーザ対応の光ディスクに対応しても、対物レンズアクチュエータをフォーカス方向はもちろんトラッキング方向に駆動した場合でもヨーイングが発生せず、さらに対物レンズアクチュエータにおける２次共振モードの発生を容易に制御することができるので光ディスクに対する情報の記録や再生を安定化し、さらに少ない単極着磁のマグネットで駆動することができる光ピックアップ装置を提供することを目的とする。
【課題を解決するための手段】
【００１６】
上記課題を解決するために本発明の光ピックアップ装置は、第１の光源から出射される短波長レーザを集光する第１の対物レンズと、第２の光源から出射される長波長レーザを集光する第２の対物レンズと、前記第１の対物レンズと前記第２の対物レンズを保持するレンズ保持部と、前記レンズ保持部を光ディスクのトラッキング方向に駆動させる１対のトラッキングコイルと、前記レンズ保持部を光ディスクのフォーカス方向及び／またはラジアルチルト方向に駆動させる２対のフォーカスコイルと、前記１対のトラッキングコイルと前記２対のフォーカスコイルのそれぞれに磁界を与える２対のマグネットとを有し、前記１対のトラッキングコイルは、前記レンズ保持部のトラッキング方向とフォーカス方向とに対して垂直であるタンジェンシャル方向の重心を通る直線上の前記レンズ保持部を挟んだ両側に配置され、前記２対のフォーカスコイルは、前記２対のフォーカスコイルのうち第１の対のフォーカスコイルで前記１対のトラッキングコイルのうち第１のトラッキングコイルを、第２の対のフォーカスコイルで第２のトラッキングコイルを挟み込むように前記レンズ保持部の重心を中心に対称に配置され、前記２対のマグネットは、異磁極の面を対抗させて対のマグネット間に直線状の磁場が発生するように配置され、前記直線状の磁場の領域には前記１対のトラッキングコイルのそれぞれの一部と前記２対のフォーカスコイルのそれぞれの一部が位置するように構成したことを特徴とする。
【発明の効果】
【００１７】
以上の構成により本発明は、２つの対物レンズを設けて長波長レーザ用の光ディスクと短波長のブルーレーザ対応の光ディスクに対応した光ピックアップ装置であっても、対物レンズアクチュエータをフォーカス方向はもちろんトラッキング方向に駆動した場合でもヨーイングが発生せず、さらに対物レンズアクチュエータにおける２次共振モードの発生を容易に制御することができるので光ディスクに対する情報の記録や再生を安定化することができる効果を有するものである。
【発明を実施するための最良の形態】
【００１８】
本発明における請求項1に記載の発明は、第１の光源から出射される短波長レーザを集光する第１の対物レンズと、第２の光源から出射される長波長レーザを集光する第２の対物レンズと、前記第１の対物レンズと前記第２の対物レンズを保持するレンズ保持部と、前記レンズ保持部を光ディスクのトラッキング方向に駆動させる１対のトラッキングコイルと、前記レンズ保持部を光ディスクのフォーカス方向及び／またはラジアルチルト方向に駆動させる２対のフォーカスコイルと、前記１対のトラッキングコイルと前記２対のフォーカスコイルのそれぞれに磁界を与える２対のマグネットとを有し、前記１対のトラッキングコイルは、前記レンズ保持部のトラッキング方向とフォーカス方向とに対して垂直であるタンジェンシャル方向の重心を通る直線上の前記レンズ保持部を挟んだ両側に配置され、前記２対のフォーカスコイルは、前記２対のフォーカスコイルのうち第１の対のフォーカスコイルで前記１対のトラッキングコイルのうち第１のトラッキングコイルを、第２の対のフォーカスコイルで第２のトラッキングコイルを挟み込むように前記レンズ保持部の重心を中心に対称に配置され、前記２対のマグネットは、異磁極の面を対抗させて対のマグネット間に直線状の磁場が発生するように配置され、前記直線状の磁場の領域には前記１対のトラッキングコイルのそれぞれの一部と前記２対のフォーカスコイルのそれぞれの一部が位置するように構成したことを特徴とする光ピックアップ装置である。これにより、２つの対物レンズを設けて長波長レーザ用の光ディスクと短波長のブルーレーザ対応の光ディスクに対応した光ピックアップ装置であっても、対物レンズアクチュエータをフォーカス方向はもちろんトラッキング方向に駆動した場合でもヨーイングが発生せず、さらにアクチュエータにおける２次共振モードの発生を容易に制御することができるので光ディスクに対する情報の記録や再生を安定化することができる効果を有するものである。
【００１９】
本発明における請求項２に記載の発明は、前記１対のトラッキングコイルを、前記１対のトラッキングコイルの巻回用の仮想中心軸がタンジェンシャル方向と略平行になるように配置したことを特徴とする請求項１に記載の光ピックアップ装置であって、フォーカスコイルを、より対物レンズアクチュエータの重心に近い位置に配置することができるので、２次共振モードの発生を、より容易に制御することができる。
【００２０】
本発明における請求項３に記載の発明は、前記２対のフォーカスコイルを、前記２対のフォーカスコイルの巻回用の仮想中心軸がフォーカス方向と略平行になるように配置したことを特徴とする請求項１に記載の光ピックアップ装置であって、フォーカスコイルの中空部の中にマグネットを配置することができる。その結果、それぞれのコイルを対物レンズアクチュエータの重心に近い位置に配置することができるので、２次共振モードの発生を、より容易に制御することができる。
【００２１】
本発明における請求項４に記載の発明は、前記２対のマグネットを前記２対のフォーカスコイルの中空部の中にそれぞれ１つずつ配置したことを特徴とする請求項３に記載の光ピックアップ装置であって、フォーカスコイルを対物レンズアクチュエータの重心に近い位置に配置することができるので、２次共振モードの発生を、より容易に制御することができる。
【００２２】
本発明における請求項５に記載の発明は、請求項１に記載の光ピックアップ装置と、光ディスクを回転させる回転駆動手段と、前記回転駆動手段に対して前記光ピックアップ装置を近づけたり遠ざけたりする移動手段とを備えたことを特徴とする光ディスク装置であって、長波長レーザ用の光ディスクと短波長のブルーレーザ対応の光ディスクに対応した光ディスク装置であっても、対物レンズアクチュエータをフォーカス方向はもちろんトラッキング方向に駆動した場合でもヨーイングを発生させないことでトラッキング制御の精度を向上させる。また、アクチュエータにおける２次共振モードの発生を容易に制御することができるので、光ディスクに対する情報の記録や再生を安定化させることができる。
【実施例】
【００２３】
以下本発明について図面を参照して説明する。
【００２４】
（実施例１）
図１は、本実施例１における光ピックアップ装置の構成を示す概略図である。なお、図１における二重波線のＡ側、つまり、短波長光学ユニット１、長波長光学ユニット３からコリメータレンズ８までは、光ピックアップ装置を図２におけるＺ方向（紙面上方）から見た模式図であり、また、図１における二重波線のＢ側、つまり、立ち上げミラー９から光ディスク２までは、光ピックアップ装置を図２におけるＲ方向から見た模式図となっている。なお、光ディスクの径方向をトラッキング方向、光ディスク面に対して垂直な方向をフォーカス方向、対物レンズアクチュエータのトラッキング方向における中心を結んだ線を軸に回転する方向をラジアルチルト方向、トラッキング方向とフォーカス方向に対して垂直な方向をタンジェンシャル方向という。
【００２５】
図１において、１は短波長レーザを出射する短波長光学ユニットである。短波長光学ユニット１から出射される光は４００ｎｍ〜４１５ｎｍの波長であり、本実施例１では略４０５ｎｍの光を出射するように構成した。本実施例１においては、短波長のレーザを出射する光源部１ａと、光ディスク２から反射してきた光を受光する信号検出用の受光部１ｂと、光源部１ａから出射された光の光量をモニターするように設けられた受光部１ｃと、光学部材１ｄと、それら構成部材を所定の位置関係に保持する保持部材（図示せず）とを含んでいる。光源部１ａには、ＧａＮもしくはＧａＮを主成分とする半導体レーザ素子（図示せず）が設けられており、この半導体レーザ素子から出射された光は光学部材１ｄに入射され、入射された光の一部は光学部材１ｄにて反射されモニター用の受光部１ｃに入る。図示していないが、このモニター用の受光部１ｃで光を電気信号に変換し、その電気信号を元に光源部１ａから出射される光の強さを所望の強度に調整する回路などが設けられている。信号検出用の受光部１ｂは、光を電気信号に変換し、その電気信号よりＲＦ信号、トラッキングエラー信号、フォーカスエラー信号などを生成する。光学部材１ｄ中にはフォーカスエラー信号を得ることができるように光ディスク２からの反射光を分離するホログラム１ｅが設けられている。
【００２６】
３は長波長のレーザを出射する長波長光学ユニットである。長波長光学ユニット３から出射される光は、６４０ｎｍ〜８００ｎｍの波長であり、一種の波長の光を単数出射したり、あるいは複数種の波長の光を複数出射する構成となっている。本実施例１では、略６６０ｎｍの波長の光束（赤：例えばＤＶＤ対応）と略７８０ｎｍの光束（赤外：例えばＣＤ対応）を出射する構成とした。本実施例１においては、長波長のレーザを出射する光源部３ａと、光ディスク２から反射してきた光を受光する信号検出用の受光部３ｂと、光源部３ａから出射された光の光量をモニターするように設けられた受光部３ｃと、光学部材３ｄと、それら構成部材を所定の位置関係に保持する保持部材（図示せず）とを含んでいる。光源部３ａには、半導体レーザ素子（図示せず）が設けられており、この半導体レーザ素子はモノブロックで構成され（モノリシック構造）、このモノブロックの素子から略６６０ｎｍの波長の光束（赤）と略７８０ｎｍの光束（赤外）を出射する。なお、本実施例１では、モノブロックの素子で２つの光束を出射する構成としたが、一つのブロック素子で一つの光束を出射する素子を２つ内蔵した構成としてもよい。この半導体レーザ素子から出射された複数の光束は光学部材３ｄに入射され、入射された光の一部は光学部材３ｄにて反射されモニター用の受光部３ｃに入る。信号検出用の受光部３ｂは、光を電気信号に変換し、その電気信号よりＲＦ信号、トラッキングエラー信号、フォーカスエラー信号などを生成する。なお、光学部材３ｄには、ＣＤ用のフォーカスエラー信号を生成するために光ディスク２からの反射光を複数本に分離して、それぞれ信号検出用の受光部３ｂの所定の場所に導くホログラム３ｅが設けられている。
【００２７】
４は短波長光学ユニット１から出射された光と光ディスク２からの反射光とが通過するビーム整形レンズである。ビーム整形レンズ４は、短波長のレーザの非点収差をおよび短波長光学ユニット１から光ディスク２に至る光路中で発生する非点収差を打ち消す目的で設けられている。また、ビーム整形レンズ４の両端にはそれぞれ凸部４ａ及び凹部４ｂが設けられており、短波長光学ユニット１から出射された光はまず凸部４ａに入射して凹部４ｂから出射するようにビーム整形レンズ４は配置される。
【００２８】
５は光学部品で、光学部品５は光路上ビーム整形レンズ４の先に配置され、ビーム整形レンズ４の凹部４ｂ側に配置される。すなわち、短波長光学ユニット１から出射された光はビーム整形レンズ４を介して光学部品５に入射されて光ディスク２へと導かれ、光ディスク２から反射してきた光は光学部品５、ビーム整形レンズ４を順に経由して短波長光学ユニット１に入射される。光学部品５にはホログラムなどが設けられており、光ディスク２から反射してきた光を主にトラッキングエラー信号を生成するように所定の光束に分離させる。
【００２９】
６は長波長光学ユニット３から出射された長波長の光が通過するリレーレンズで、リレーレンズ６は樹脂やガラスなどの透明部材にて構成される。リレーレンズ６は長波長光学ユニット３から出射された光を効率よく後方の部材に導くように設けられる。
【００３０】
７は光学部材であるビームスプリッタである。ビームスプリッタ７中には少なくとも２つの透明部材７ｂ、７ｃが接合して設けられており、透明部材７ｂ、７ｃの間には一つの波長選択膜が設けられた傾斜面７ａが設けられている。短波長光学ユニット１から出射された光が入り込む透明部材７ｃの傾斜面７ａには波長選択膜が直接形成されており、この波長選択膜が形成された透明部材７ｃの傾斜面７ａに樹脂やガラス等の接合材を介して透明部材７ｂが接合されている構成となっている。
【００３１】
８は移動自在に保持されたコリメータレンズである。コリメータレンズ８はスライダ８ｂに取り付けられ、スライダ８ｂは略平行に設けられた１対の支持部材８ａに移動可能に取り付けられている。ヘリカル状の溝が設けられたリードスクリュー８ｃが支持部材８ａに対して略平行となるように設けられており、このリードスクリュー８ｃの溝に入り込む突起がスライダ８ｂの端部に設けられている。リードスクリュー８ｃにはギア群８ｄが結合されており、ギア群８ｄにはステッピングモータからなる駆動部材８ｅが設けられている。駆動部材８ｅの駆動力はギア群８ｄを介してリードスクリュー８ｃに伝えられ、しかもその駆動力によってリードスクリュー８ｃは回転し、その結果スライダ８ｂは支持部材８ａに沿って移動する。この様に、コリメータレンズ８をビームスプリッタ７に近づけたり離したりする構成を採用することで、球面収差の調整を容易に行うことができる。本実施例１では、短波長の光の球面収差の補正を行う構成として駆動部材８ｅにてコリメータレンズ８を移動させる構成としたが、その他の構成によって、コリメータレンズ８を移動させてもよいし、他の手段を用いて短波長の光の球面収差を調整する構成としてもよい。
【００３２】
９は立ち上げミラーであり、立ち上げミラー９には短波長の光に対して作用する１／４波長部材９ａが設けられている。この１／４波長部材９ａとしては、二度（往路と復路で）通過した光の偏光方向を略９０度回転させる１／４波長板が好適に用いられる。立ち上げミラー９において各ユニット１、３から出射された光が入射する面には波長選択膜９ｂが設けられており、長波長光学ユニット３から出射された長波長の光をほとんど反射し、短波長光学ユニット１から出射された短波長の光をほとんど透過させる機能を有する。
【００３３】
１０は長波長レーザ用の対物レンズで、対物レンズ１０は立ち上げミラー９から反射してきた光を光ディスク２に集光させる。本実施例１では対物レンズ１０を用いたが、ホログラム等その他の集光部材で構成してもよい。
【００３４】
１１は対物レンズ１０と立ち上げミラー９の間に設けられた光学部品で、光学部品１１はＤＶＤ（略６６０ｎｍの波長の光）及びＣＤ（略７８０ｎｍの波長の光）の光ディスク２に対応可能な様に必要な開口数を実現するための開口フィルタと、略６６０ｎｍの波長の光に対して反応する偏光ホログラムと、１／４波長部材（好適には１／４波長板）を具備している。光学部品１１は、誘電体多層膜や回折格子開口手段などで構成される。偏光ホログラムは略６６０ｎｍの光に対して偏光を加える（略６６０ｎｍの波長の光をトラッキングエラー信号やフォーカスエラー信号用の光に分離する）。
【００３５】
１２は短波長の光をほとんど反射する立ち上げミラーで、立ち上げミラー１２には反射膜が設けられている。
【００３６】
１３は対物レンズで、対物レンズ１３は立ち上げミラー１２から反射してきた光を光ディスク２に集光させる。本実施例１では対物レンズ１３を用いたが、ホログラム等その他の集光部材で構成してもよい。対物レンズ１３はガラスで構成されたり、あるいは樹脂で構成されるが、対物レンズ１３を樹脂で構成する場合には好ましくは、耐短波長光樹脂（短波長によって劣化しないあるいは劣化しにくい樹脂）で構成される。
【００３７】
１４は対物レンズ１３と立ち上げミラー１２の間に設けられた色消し回折レンズで、色消し回折レンズ１４は色収差を補正するという機能を有する。色消し回折レンズ１４は短波長の光が通過する各光学部品などで生じる色収差を打ち消して低減させるように設けられている。
【００３８】
以上のように構成された光学系の具体的な配置について説明する。
【００３９】
図２は実際に、図１で示した光ピックアップ装置の光学構成を具現化した例を示す平面図であり、図１に示す各部材とは多少形状などが異なるが、機能などはほぼ同じである。図３は、本実施例１における光ピックアップ装置の基台１５の全体斜視図である。
【００４０】
１５は基台で、基台１５は上述の各部材が固定あるいは移動可能に取り付けられている。基台１５には短波長光を出射し受光する短波長光学ユニット１と、長波長光を出射し受光する長波長光学ユニット３と、対物レンズ１０、１３を搭載するレンズ保持部としてのレンズホルダ１６とが設けられており、シャフト２１、２２に移動可能に取り付けられている。基台１５は、亜鉛、亜鉛合金、アルミニウム、アルミニウム合金、マグネシウム、マグネシウム合金などの金属あるいは金属合金材料で構成され、量産的な面から好ましくはダイカスト製法などを用いて構成されている。
【００４１】
１７はサスペンションホルダで、このサスペンションホルダ１７は後述するヨーク部材を介して各種接合手法によって基台１５に取り付けられており、レンズホルダ１６とサスペンションホルダ１７は複数本のサスペンション１８を介して結合されており、レンズホルダ１６は基台１５に対して所定の範囲で移動可能なように支持される。レンズホルダ１６には対物レンズ１０、１３および光学部品１１、色消し回折レンズ１４（図１参照）等が取り付けられており、レンズホルダ１６の移動によって、レンズホルダ１６とともに、対物レンズ１０、１３および光学部品１１、色消し回折レンズ１４も移動する。２１、２２は、基台を半径方向に移動可能とするシャフトである。２５は、光ディスク２を載せるスピンドルモータである。
【００４２】
次に、基台１５に取り付けられる対物レンズアクチュエータの構成について説明する。
【００４３】
図４は本実施例１における光ピックアップ装置の対物レンズアクチュエータの斜視図である。図５（ａ）は本実施例１における光ピックアップ装置の対物レンズアクチュエータの平面図であり、図５（ｂ）は図５（ａ）の対物レンズアクチュエータをＡ方向から見た側面図である。図６（ａ）は本実施例１における対物レンズアクチュエータにおいて対物レンズ１０、１３とマグネット４１〜４４と、トラッキングコイル５１、５２と、フォーカスコイル６１〜６４のみの配置を示した斜視図で、図６（ｂ）は図６（ａ）からマグネット４１〜４４を除いた斜視図である。図７（ａ）は図６（ａ）のＢ−Ｂ矢視図、図７（ｂ）は図６（ａ）のＣ−Ｃ矢視図である。図８は図６（ａ）において、トラッキングコイル５１、５２、フォーカスコイル６１〜６４がマグネット４１〜４４の磁場に影響を受ける部分を斜線で表した斜視図である。
【００４４】
なお、対物レンズアクチュエータとは前述した対物レンズ１０、１３、レンズホルダ１６、サスペンションホルダ１７、サスペンション１８、ヨーク部材３２と、後で説明するマグネット４１〜４４、略四角形の形状をしたトラッキングコイル５１、５２、略四角形の形状をしたフォーカスコイル６１〜６４によって構成される対物レンズを駆動するために必要なメカ機構である。
【００４５】
図４、図５（ａ）、図５（ｂ）に示すようにヨーク部材３２には磁路形成部３２ａ、３２ｂ、３２ｃ、３２ｄ、連結部３２ｅ、３２ｆ、３２ｇ、結合部３２ｊが切り起こし加工や折り曲げ加工などによって、主面部３２ｈから略垂直に一体で設けられている。磁路形成部３２ａ、３２ｂ、３２ｃ、３２ｄはマグネット４１~４４を固定するとともに、マグネット４１〜４４から発生する磁束の一部を磁路形成部３２ａ〜３２ｄのマグネット４１〜４４側でない側を回り込むようにしてマグネット４１〜４４に戻るようにしている。連結部３２ｅ、３２ｆ、３２ｇは対物レンズアクチュエータを基台に固定させるために、連結部３２ｅ、３２ｆの両脇に設けられたボス部を、また連結部３２ｇは両脇に設けられた突起部を基台１５に接着させる。また、主面部３２ｈの一端部には連結部３２ｇが立ち上がっており、他方の端部ではサスペンションホルダ１７を保持している。主面部３２ｈの中央にはくぼみが設けられており、立設部３２ａ、３２ｂ、３２ｃ、３２ｄはそのくぼみの部分から立ち上がっている。結合部３２ｊは、主面部３ｈの磁路形成部３２ａ、３２ｂ側と磁路形成部３２ｃ、３２ｄ側とをつなぐ。連結部３２ｇから主面部３２ｈにかけては開口部３２ｉが設けられており、この開口部３２ｉからは図１で示した立ち上げミラー９、１２が入り込む構成となっている。
【００４６】
４１、４２、４３、４４は単極着磁のマグネットであり、ヨーク部材３２に接着などの手法によりレンズホルダ１６の重心を中心に対称に配置されている。５１、５２はトラッキングコイルであり、それぞれ略四角形で略同一形状に巻線されている。６１、６２、６３、６４はフォーカスコイルであり、それぞれ略四角形で略同一形状に巻線されている。磁路形成部３２ａ〜３２ｄはマグネット４１〜４４とタンジェンシャル方向に隣り合い、必ずレンズホルダ１６の中央に近い側にマグネット４１〜４４を配置する。また、マグネット４１〜４４から発生する磁束には、対のマグネット４１と４２及び４３と４４の間で直線状の磁場を形成して対物レンズアクチュエータを駆動する磁束と、対のマグネット以外の方向に向かって直線状の磁場を形成しない磁束とがある。その直線状の磁場を形成しない磁束は、磁路形成部３２ａ〜３２ｄのマグネット４１〜４４側でない側を回り込むようにしてマグネット４１〜４４に戻る。
【００４７】
トラッキングコイル５１、５２はレンズホルダ１６のタンジェンシャル方向の重心を通る直線上にレンズホルダ１６を挟んだ両側に配置される。図７（ｂ）に示すように、本実施例１ではトラッキングコイル５１、５２の巻回用に仮想中心軸５１ａ、５２ａがタンジェンシャル方向に対して略平行となるように配置する。
【００４８】
図６〜図８に詳しく示すようにそのトラッキングコイル５１、５２を挟み込むようにして、フォーカスコイル６１〜６４が配置される。すなわち、フォーカスコイル６１、６２でトラッキングコイル５１を、またフォーカスコイル６３、６４でトラッキングコイル５２を挟んでいる。すなわち、本実施例１のようにトラッキングコイル５１、５２の巻回用に仮想中心軸５１ａ、５２ａがタンジェンシャル方向に対して略平行となるように配置すれば、フォーカスコイル６１〜６４を、より対物レンズアクチュエータの重心に近い位置に配置することができる。
【００４９】
図６（ｂ）に示すように本実施例１ではフォーカスコイル６１〜６４の巻回用に仮想中心軸６１ａ、６２ａ、６３ａ、６４ａがフォーカス方向に対して略平行となるように配置する。本実施例１ではフォーカスコイル６１〜６４の巻回用に仮想中心軸６１ａ、６２ａ、６３ａ、６４ａがフォーカス方向に対して略平行となるように配置しているので、フォーカスコイル６１〜６４の中空部の中にヨーク３２の磁路形成部３２ａ、３２ｂ、３２ｃ、３２ｄとともにマグネット４１〜４４を配置することができる。その結果、ヨークの磁路形成部３２ａ、３２ｂ、３２ｃ、３２ｄとマグネット４１〜４４を対物レンズアクチュエータの重心に近い位置に配置することができる。
【００５０】
本実施例１ではマグネット４１のＳ極の面とマグネット４２のＮ極の面、またマグネット４３のＮ極の面とマグネット４４のＳ極の面は対向している。もちろん本実施例１とは電流を流す向きを逆にして、マグネット４１のＮ極の面とマグネット４２のＳ極の面、またマグネット４３のＳ極の面とマグネット４４のＮ極の面を対向させてもよい。
【００５１】
このように配置することによって図８の矢印で示すように、マグネット４１からマグネット４２に向かって、またマグネット４４からマグネット４３に向かって直線状に磁場が発生する。したがって図８の斜線で示されるトラッキングコイル５１、５２のタンジェンシャル方向に平行でレンズホルダ１６により遠い側の辺５１ｂ、５２ｂの一部と、フォーカスコイル６１〜６４のトラッキング方向に平行でマグネット４１〜４４に挟まれている辺６１ｂ、６２ｂ、６３ｂ、６４ｂの一部がマグネット４１〜４４によって発生する磁場の領域に位置し、磁場の影響を受ける。すなわち本実施例１の光ピックアップ装置では４つのマグネット４１~４４によって発生する２つの直線状の磁場のなかに、対物レンズアクチュエータの中央に集中して配置したトラッキングコイルの辺５１ｂ、５２ｂの一部とフォーカスコイルの辺の６１ｂ、６２ｂ、６３ｂ、６４ｂの一部が配置されている。したがって、４つの単極着磁のマグネット４１~４４のみで、対物レンズアクチュエータをトラッキング方向、フォーカス方向、ラジアルチルト方向の全方向に駆動させることができる。
【００５２】
なお、トラッキングコイル５１、５２は、その中空部にヨークを設けることで仮想中心軸５１ａ、５２ａがトラッキング方向に対して略平行となるように配置してもよい。また、フォーカスコイル６１〜６４は、その仮想中心軸６１ａ、６２ａ、６３ａ、６４ａがタンジェンシャル方向に略平行となるように配置しても良い。その場合、フォーカスコイル６１〜６４のトラッキング方向に平行な２辺のうち、一方だけがマグネット４１〜４４による磁場の領域に入るように配置する必要がある。
【００５３】
次に、ヨーク部材３２に取り付けられるレンズホルダ１６周りの構成についてさらに詳細に説明する。
【００５４】
図５（ａ）において、サスペンション１８はレンズホルダ１６を挟むように片方に３本ずつ設けられている。サスペンション１８はサスペンションホルダ１７とレンズホルダ１６とを弾性的に連結しており、少なくともレンズホルダ１６は所定の範囲で、サスペンションホルダ１７に対して変位可能となっている。サスペンション１８の両端部はそれぞれレンズホルダ１６とサスペンションホルダ１７に接着や半田付けもしくはインサート成型等の各種固定方法で固定されている。なお本実施例１では、片方に３本ずつ、合計６本としたが、それ以上の数（例えば８本）のサスペンション１８を設けても、それ以下の数（例えば４本）のサスペンション１８を設けてもよい。
【００５５】
サスペンション１８は、その断面が略円形状や略楕円形状のワイヤもしくは矩形状などの多角形状のワイヤで構成してもよく、さらには板バネ等の薄板を加工することでサスペンション１８としてもよい。トラッキングコイル５１、５２とフォーカスコイル６１〜６４のそれぞれの端部とサスペンション１８は、例えば半田や鉛フリー半田などの金属系の接合材によって、電気的に接続されている。そしてトラッキングコイル５１、５２とフォーカスコイル６１〜６４には、サスペンション１８を介して電流が流れる。なお、本実施例１においてはフォーカスコイル６１と６２に流れる電流とフォーカスコイル６３と６４に流れる電流とを独立して制御することができ、ラジアルチルト方向にレンズホルダ１６を駆動できるようになっている。
【００５６】
次に、トラッキング方向の力を発生させるためのトラッキングコイル５１、５２に流す電流とマグネット４１~４４の磁極の向きについて説明する。
【００５７】
図９は、本実施例１におけるマグネット４１、４４とトラッキングコイル５１、５２の配置を示す図で、図９（ａ）は図７（ｂ）から対物レンズ１０とフォーカスコイル６１、６４を除いた正面図、図９（ｂ）は本実施例１におけるマグネット４１、４４とトラッキングコイル５１、５２を上から見た平面図である。図９（ｂ）に示されるように、右左のトラッキングコイル５１、５２の巻回軸を左右それぞれの一対のマグネット４１、４２および４３、４４の対面方向と平行に配置し、各対のマグネット４１〜４４は、異磁極が対向するように配置する。また図８で説明したが、各対のマグネット４１〜４４の磁場の領域に、トラッキングコイル５１、５２のタンジェンシャル方向に平行でレンズホルダ１６により遠い側の辺５１ａ、５２ａの一部が位置するようにする。この状態で図示のようにトラッキングコイル５１、５２に電流Ｉを流すと、各トラッキングコイル５１、５２には、それぞれ、フレミングの左手の法則に基づく移動力Ｆ０１が生じる。その移動力Ｆ０１はトラッキング方向に作用し、Ｆ０１＝ＢＬｎＩで表される。ここで、Ｂは対向するマグネット間の磁束密度、Ｌは磁界内の導電体の有効長、ｎはトラッキングコイル５１、５２のターン数である。また、トラッキングコイル５１と５２がマグネット４１、４２および４３、４４の間にあるとき、図７における辺５１ｂ、５２ｂと垂直である２つの辺には、向きの異なる電流Ｉが流れており、図８に示すようにそれぞれ微小力ΔＦ０ＲＵ、ΔＦ０ＲＤとΔＦ０ＬＵ、ΔＦ０ＬＤが生じる。これらの微小力ΔＦ０ＲＵとΔＦ０ＲＤ、ΔＦ０ＬＵとΔＦ０ＬＤは、ΔＦ０ＲＵ≒ΔＦ０ＲＤ、ΔＦ０ＬＵ≒ΔＦ０ＬＤとみなすことができ、これらの微小力はそれぞれのコイルの内部において相殺するので問題は生じない。さらに、図８における辺５１ｂ、５２ｂと平行であるもう１つの辺は、各対のマグネット４１~４４の磁場の領域に位置しないので電磁力は生じない。このようにして、トラッキングコイル５１、５２とマグネット４１〜４４によってトラッキング方向に力が作用し、対物レンズアクチュエータをトラッキング方向に駆動させることができる。
【００５８】
次に、フォーカス方向の力を発生させるためのフォーカスコイル６１~６４に流す電流とマグネットの磁極の向きについて説明する。
【００５９】
図１０は、本実施例１におけるマグネット４１〜４４とフォーカスコイル６１〜６４の配置を示すもので、図１０（ａ）はマグネット４１〜４４とフォーカスコイル６１〜６４を上から見た正面図、図１０（ｂ）はマグネット４１〜４４とフォーカスコイル６１〜６４をレンズホルダのタンジェンシャル方向の側面側から見た平面図である。図１０に示されるように、各フォーカスコイル６１〜６４の巻回軸を左右それぞれの一対のマグネット４１、４２および４３、４４の対面方向と垂直に配置する。図８で説明したように、各対のマグネット４１~４４の磁場の領域に、フォーカスコイル６１〜６４のトラッキング方向に平行であってマグネット４１〜４４に挟まれている辺６１ｂ、６２ｂ、６３ｂ、６４ｂの一部が位置するようにする。この状態で図示のようにフォーカスコイル６１〜６４に電流Ｉを流すと、各フォーカスコイル６１〜６４には、それぞれフレミングの左手の法則に基づく移動力Ｆ０２が生じる。その移動力Ｆ０２はフォーカス方向に作用し、Ｆ０２＝ＢＬｎＩで表される。また、図８における辺６１ｂ〜６４ｂと垂直及び平行である他の３つの辺は、各対のマグネット４１~４４の磁場の領域に位置しないので電磁力は生じない。このようにして、フォーカスコイル６１~６４とマグネット４１〜４４によってフォーカス方向に力が作用し、対物レンズアクチュエータをフォーカス方向に駆動させることができる。
【００６０】
また、本実施例１においてはフォーカスコイル６１、６２に流れる電流とフォーカスコイル６３、６４に流れる電流とを独立して制御することができる。例えばフォーカスコイル６１、６２に流れる電流をフォーカスコイル６３、６４に流れる電流よりも大きくすると、フォーカスコイル６１、６２に生じる移動力はフォーカスコイル６３、６４に生じる移動力よりも大きくなる。この移動力の差により、対物レンズアクチュエータはラジアルチルト方向に駆動する。もちろん、フォーカスコイル６３、６４に流れる電流をフォーカスコイル６１、６２に流れる電流よりも大きくすることで、フォーカスコイル６３、６４に生じる移動力をフォーカスコイル６１、６２に生じる移動力よりも大きくすることもできる。
【００６１】
このような構成によって対物レンズアクチュエータをラジアルチルト方向に駆動させることで、光ディスクの反りに対応することができる。すなわち、光ディスクにはその半径方向等によって反りがあり、その反りの角度に応じて対物レンズアクチュエータをラジアルチルト方向に傾けることで、レーザ光を光ディスクの記録面に対して垂直に入射させることができる。
【００６２】
なお、新たなフォーカスコイルを加えることでフォーカスコイル６１、６２に流れる電流とフォーカスコイル６３、６４に流れる電流とは独立して制御しなくてもラジアルチルト方向に駆動することができる。すなわち、新たなフォーカスコイルをフォーカスコイル６１、６２側とフォーカスコイル６３、６４側にそれぞれ設ける。その新たな１対のフォーカスコイルに流れる電流を独立して制御することで、フォーカスコイル６１、６２側に生じる移動力とフォーカスコイル６３、６４側に生じる移動力に差が生じる。この移動力の差により、対物レンズアクチュエータはラジアルチルト方向に駆動する。
【００６３】
次に、本発明の光ピックアップ装置における対物レンズアクチュエータではなぜヨーイングが起こらないかを説明する。
【００６４】
まず、対物レンズアクチュエータがトラッキング方向に駆動する場合について説明する。前述したように、従来の光ピックアップ装置ではトラッキングコイルを対物レンズアクチュエータの四隅に１つずつ配置している。対物レンズアクチュエータに設けられるマグネットとトラッキングコイルにおいては、ギャップのばらつきやマグネットの磁束密度のバラツキによってトラッキングコイルに発生する電磁力にバラツキが生じることがある。トラッキングコイルに発生する電磁力にバラツキが生じると、四隅に備えられたトラッキングコイルと磁石からなる複数の電磁駆動手段で発生する複数の電磁力のバランスが崩れる。このとき、例えばトラッキング方向に隣り合う２つのトラッキングコイルで発生する電磁力の和が、他方の２つのトラッキングコイルで発生する電磁力の和よりも一定以上大きくなった状態で対物レンズアクチュエータをトラッキング方向に駆動したとき、対物レンズアクチュエータの中心を軸として水平面上で対物レンズアクチュエータがヨーイングを起こす。このとき、４つのトラッキングコイルが２つずつに分かれてタンジェンシャル方向に対して離れているため、対物レンズアクチュエータの重心とトラッキングコイルとの距離も大きくなることから回転の際のモーメントが大きくなるので、より回転しやすくなる。
【００６５】
しかしながら、本実施例１の光ピックアップ装置に設けられるトラッキングコイル５１、５２は２つであり、図５（ａ）に示すようにトラッキングコイル５１、５２はレンズホルダ１６のタンジェンシャル方向の重心を通る直線上で配置されている。したがって、たとえトラッキングコイル５１、５２に関する電磁力のバランスが崩れたとしても、トラッキング方向に向かって位置がずれるため、通常のトラッキング制御を行うことで正常な位置に修正することができる。
【００６６】
次に、対物レンズアクチュエータがフォーカス方向に駆動する場合について説明する。本実施例１の光ピックアップ装置に設けられるフォーカスコイル６１~６４は、その中空部がフォーカス方向に向かって貫通するように配置されている。また、マグネット４１〜４４はフォーカスコイル６１〜６４の中空部に配置され、マグネット４１〜４４によって生じる磁界の領域に位置する辺の一部とは図８における６１ｂ〜６４ｂの一部のみである。したがって、マグネット４１〜４４によって発生する直線状の磁場とフォーカスコイル６１〜６４によって生じる電磁力はフォーカス方向のみであり、対物レンズアクチュエータの水平面上に電磁力は生じないため、ヨーイングが起こることはない。
【００６７】
次に、本発明の光ピックアップ装置ではなぜ２次共振モードの発生を容易に制御することができるのかについて説明する。
【００６８】
従来の対物レンズアクチュエータでは四隅にトラッキングコイルを配置していたが、本実施例１の光ピックアップ装置ではトラッキングコイル５１、５２をレンズホルダ１６のタンジェンシャル方向の重心を通る直線上にレンズホルダ１６を挟んだ両側に配置し、トラッキングコイル５１、５２を挟み込むようにして、フォーカスコイル６１〜６４が配置される。したがって、対物レンズアクチュエータの重心に非常に近い位置に集中して配置されているため、光ピックアップ装置の四隅における重量物の負担が小さい。そのため２次共振モードの共振周波数が高くなるので、その制御が容易になる。
【００６９】
なお、本実施例１ではトラッキングコイル５１、５２の巻回用に仮想中心軸５１ａ、５２ａがタンジェンシャル方向に対して略平行となるように配置することで、フォーカスコイル６１〜６４を、より対物レンズアクチュエータの重心に近い位置に配置することができるので、２次共振モードの発生を、より容易に制御することができる。また、フォーカスコイル６１〜６４の巻回用に仮想中心軸６１ａ、６２ａ、６３ａ、６４ａがフォーカス方向に対して略平行となるように配置しているので、フォーカスコイル６１〜６４の中空部の中にヨークの磁路形成部３２ａ、３２ｂ、３２ｃ、３２ｄとともにマグネット４１〜４４を配置することができる。その結果、ヨークの磁路形成部３２ａ、３２ｂ、３２ｃ、３２ｄとマグネット４１〜４４を対物レンズアクチュエータの重心に近い位置に配置することができるので、２次共振モードの発生を、より容易に制御することができる。
【００７０】
さらに、本実施例１の光ピックアップ装置は４つの単極着磁のマグネット４１〜４４によって発生する２つの直線状の磁場のなかに図８におけるトラッキングコイルの辺５１ｂ、５２ｂの一部とフォーカスコイルの辺６１ｂ、６２ｂ、６３ｂ、６４ｂの一部が配置する構造としているため、単極着磁のマグネット４つのみで、対物レンズアクチュエータをトラッキング方向とフォーカス方向の両方向に駆動させることができる。したがって、従来のマグネットを７個や１３個も使用した光ピックアップ装置に比べて安価で小型化・減量化した光ピックアップ装置を実現できる。また、多極着磁のマグネットで問題となっていた次のことを解決できる。すなわち、本実施例１の光ピックアップ装置で用いる単極着磁マグネット４１〜４４は低コストであり、磁力を持たないニュートラルゾーンがないので効率が良い。さらに、対の単極着時のマグネット４１〜４４の間には直線状の磁場が発生するためトラッキングコイル５１、５２及びフォーカスコイル６１〜６４とのギャップの変化に鈍感であり、ギャップのバラツキに強い。
【００７１】
これらのことから本発明の光ピックアップ装置は、従来の対物レンズアクチュエータを駆動させたときに発生するヨーイングを防ぐことでトラッキング制御の精度を向上させるとともに、２次共振モードの共振周波数を高くすることで対物レンズアクチュエータのフォーカス方向の位置を安定化させることができる。さらに、４つの単極着磁のマグネット４１~４４によって対物レンズアクチュエータの駆動を可能とするので、光ピックアップ装置の軽量化、小型化、低コスト化を実現することができる。
【００７２】
（実施例２）
本実施例２では、実施例１において説明した光ピックアップ装置を用いた光ディスク装置について説明する。
【００７３】
図１１は、本実施例２における実施例１において説明した光ピックアップ装置を用いた光ディスク装置を示す斜視図である。図１１に示す光ディスク装置３０１において、３０２はカバーで、カバー３０２は上カバー３０２ａと下カバー３０２ｂで構成され、カバー３０２は一方の端部に開口３０２ｃを有した袋状の構成となっている。カバー３０２には、トレイ３０３が図１１に示すＸ方向に挿抜自在に保持されており、トレイ３０３は樹脂材料などの軽量な材料で構成されている。トレイ３０３にはフロント部分にベゼル３０４が設けられており、このベゼル３０４はトレイ３０３をカバー３０２内に収納した際に開口３０２ｃを塞ぐようになっている。ベゼル３０４にはイジェクトボタン３０５が表出しており、このイジェクトボタン３０５を押すことで、図示していない機構によって、カバー３０２からトレイ３０３が図１１に示すＸ方向にわずかに飛び出し、トレイ３０３はカバー３０２に対してＸ方向に出し入れ可能となる。
【００７４】
トレイ３０３には、実施例１において説明した光ピックアップ装置３０６が取り付けられている。光ピックアップ装置３０６には光ディスク２を回転駆動させるスピンドルモータ２５が設けられており、更には、スピンドルモータ２５に対して近づいたり離れたりする基台１５が移動自在に設けられている。基台１５には、レンズホルダ１６が基台１５に対して弾性的に移動可能に取り付けられている。レンズホルダ１６には、対物レンズ１０，１３等が取り付けられている。基台１５において、スピンドルモータ２５に装着される光ディスクの情報記録面と対向する面には、金属板で構成された基台カバー１５ｆが取り付けられており、基台１５に取り付けられたフレキシブル基板やレンズホルダ１６等の部品の少なくとも一部を覆っている。これにより、基台１５に取り付けられた部品が、光ディスクに接触することを防ぐことができ、また逆に、これらの部品を埃や電気的ノイズ等から保護することができる。
【００７５】
３０７、３０８は下カバー３０２ｂに保持され、しかもトレイ３０３の両側部に係合されたレールである。レール３０７、３０８は、下カバー３０２ｂとトレイ３０３とに対して、トレイ３０３を挿抜するＸ方向に所定の範囲で摺動可能に構成されている。
【００７６】
図１１に示される光ディスク装置に本発明の実施例１における光ピックアップ装置３０６を搭載することにより、長波長レーザ用の光ディスクと短波長のブルーレーザ対応の光ディスクに対応した光ディスク装置であっても、対物レンズアクチュエータをフォーカス方向はもちろんトラッキング方向に駆動した場合でもヨーイングを発生させないことでトラッキング制御の精度を向上させる。また、アクチュエータにおける２次共振モードの発生を容易に制御することができるので、光ディスクに対する情報の記録や再生を安定化させることができる。さらに、４つの単極着磁のマグネットで駆動することができるため、光ディスク装置の軽量化、小型化、低コスト化を実現することができる。
【産業上の利用可能性】
【００７７】
本発明の光ピックアップ装置及び光ディスク装置は小型化を実現できるという効果を有し、ノートブックパソコンなどの携帯型電子機器や据え置き型のパーソナルコンピュータなどの電子機器等に適応できる。
【図面の簡単な説明】
【００７８】
【図１】本発明の実施例１における光ピックアップ装置の構成を示す概略図
【図２】本発明の実施例１における光ピックアップ装置の光学構成を具現化した例を示す平面図
【図３】本発明の実施例１における光ピックアップ装置の基台の全体斜視図
【図４】本発明の実施例１における光ピックアップ装置の対物レンズアクチュエータの斜視図
【図５】（ａ）本発明の実施例１における光ピックアップ装置の対物レンズアクチュエータの平面図、（ｂ）図５（ａ）の対物レンズアクチュエータをＡ方向から見た側面図
【図６】（ａ）本発明の実施例１における対物レンズアクチュエータにおいて対物レンズ、マグネット、トラッキングコイル、フォーカスコイルのみの配置を示した斜視図、（ｂ）図６（ａ）からマグネットを除いた斜視図
【図７】（ａ）同図６（ａ）のＢ−Ｂ矢視図、（ｂ）同図６（ａ）のＣ−Ｃ矢視図
【図８】同図６（ａ）において、トラッキングコイル、フォーカスコイルがマグネットの磁場に影響を受ける部分を斜線で表した斜視図
【図９】（ａ）図７（ｂ）から対物レンズとフォーカスコイルを除いた正面図、（ｂ）本発明の実施例１におけるマグネットとトラッキングコイルを上から見た平面図
【図１０】（ａ）本発明の実施例１におけるマグネットとフォーカスコイルを上から見た正面図、（ｂ）マグネットとフォーカスコイルをレンズホルダのタンジェンシャル方向の側面側から見た平面図
【図１１】本発明の実施例２における実施例１において説明した光ピックアップ装置を用いた光ディスク装置を示す斜視図
【図１２】従来の光ピックアップ装置においてレンズホルダにおける二次共振モードの様子を示す図
【符号の説明】
【００７９】
１    短波長光学ユニット
２    光ディスク
３    長波長光学ユニット
４    ビーム整形レンズ
５    光学部品
６    リレーレンズ
７    ビームスプリッタ
８    コリメータレンズ
９    立ち上げミラー
１０    対物レンズ
１１    光学部品
１２    立ち上げミラー
１３    対物レンズ
１４    色消し回折レンズ
１５    基台
１６    レンズホルダ
１７    サスペンションホルダ
１８    サスペンション
２１，２２    シャフト
２５    スピンドルモータ
３２    ヨーク部材
３２ａ，３２ｂ，３２ｃ，３２ｄ    磁路形成部
３２ｅ，３２ｆ，３２ｇ    連結部
３２ｈ    主面部
３２ｉ    開口部
３２ｊ    連合部
４１，４２，４３，４４    マグネット
５１，５２    トラッキングコイル
６１，６２，６３，６４    フォーカスコイル
３０１    光ディスク装置
３０２    カバー
３０２ａ    上カバー
３０２ｂ    下カバー
３０２ｃ    開口
３０３    トレイ
３０４    ベゼル
３０５    イジェクトボタン
３０６    光ピックアップ装置
３０７，３０８    レール
【図１】
2010152969.tif 000003
【図２】
2010152969.tif 000004
【図３】
2010152969.tif 000005
【図４】
2010152969.tif 000006
【図５】
2010152969.tif 000007
【図６】
2010152969.tif 000008
【図７】
2010152969.tif 000009
【図８】
2010152969.tif 000010
【図９】
2010152969.tif 000011
【図１０】
2010152969.tif 000012
【図１１】
2010152969.tif 000013
【図１２】
2010152969.tif 000014